(57)【要約】      （修正有）【課題】耐風雨性、耐震性が優れ、瀟洒な感覚と立体感を備えた鱗張り施工が可能な瓦、壁材等の建築用材を提供する。【解決手段】建築用材1の表面に、一方の鋭角部を挾んだ二辺の側端部に、二条の水返し2,3を並設し、一方・他方の鈍角部の隣接端部に重ね上片21・下片20を形成し、他方鈍角部に釘孔9を、一方鋭角部に切欠き7を形成し、また建築用材裏面に、一方の鋭角端部に引掛け10を、他方の鋭角端部に頭垂れ12を形成し、一方の鈍角部から他方の鋭角端部を経て他方の鈍角部に亘る略V字形に側面垂れを形成した。【選択図】図１
2005029965.tif 000002
【特許請求の範囲】
【請求項１】
略菱形状の建築用材の表面に、一方の鋭角部を挾んだ二辺の側端部に、二条の水返しを並行形成し、他方の鈍角部の隣接端部に重ね上片を、一方の鈍角部の隣接端部に重ね下片を形成し、前記他方鈍角部の重ね上片の内方に釘孔を、前記一方鋭角部の一方鈍角部重ね下片寄りに切欠きを形成し、また前記建築用材の裏面に、前記一方の鋭角端部に引掛けを、他方の鋭角端部に頭垂れを形成し、前記一方の鈍角部から他方の鋭角端部を経て他方の鈍角部に亘る略Ｖ字形全周端側面に側面垂れを形成したことを特徴とする建築用材。
【請求項２】
請求項１に記載の他方の鋭角部頭垂れを、鼻先形状に形成したことを特徴とする建築用材。
【請求項３】
請求項１に記載の略Ｖ字形周囲側面を、曲面状に凹設、又は凸設することを特徴とする建築用材。
【発明の詳細な説明】
【０００１】
【発明の属する技術分野】
この発明は、屋根面、又は壁面の外装材として利用できる建築用材に関する。
【０００２】
【従来の技術】
本発明が意図する略菱形状の瓦としては、スペインの建築家として著名な「ガウディ」の建造物の屋根に使用されている。一般的には、鱗状の青瓦（青瓦）として知られている。この青瓦は写真で見る限り、菱形の下方（頭側）が略鼻形状に膨出した形状が特徴であり、前述の如く、鱗状を呈する。
【０００３】
そして、この種の略方形状の瓦としては、特開２００１−２８８８５４の屋根材とその製造方法および屋根材の施工方法（文献とする）がある。この発明の概要は、板材の表側面の縁部に略Ｌ字型に形成された表側縁部線条突起部を設け、また板材の隅角部に３個の掛止孔を配置し、一方、板材の裏側面に略Ｌ字型で並列に裏側縁部線条突起部を形成し、この瓦の上側（棟方向の上側）に葺設した他の屋根材の一部を重ね合わせるように配置した際に、表側縁部線条突起部が、他の屋根材の裏側縁部線条突起部に当接する構成であって、戸建て一般住宅の屋根の釘打ち止め、鱗張り施工による葺き上げ材料として使用される。その特徴は、強度性、耐久性、耐水性又は耐候性等を備えた屋根材の提供である。
【０００４】
【発明が解決しようとする課題】
前記、鱗状の青瓦は、止付けに関して明確な開示はない。しかし、この種の特殊な屋根構造であることを考慮すると、下地への固着が複雑かつ手間を要することが考えられる。また熟練も要求されることから、葺設工事が割高となることも考えられる。
【０００５】
また文献は、一枚の瓦の隅角部３箇所に釘孔を開設し、この釘孔を利用して、各瓦の左右の隅角部を当接し、個別に釘止めする構成である。従って、隣接する瓦相互間の連繋が必ずしも十分とは考えられず（例えば、上下片による重ね葺き）、釘止め個所が多くなり施工の繁雑さも否定できない。また耐風雨、耐震に対しても、少し配慮が欠けることが考えられる。
【０００６】
【課題を解決するための手段】
請求項１の発明は、二枚の瓦、壁材等の建築用材の両側面（例えば、図１において左右側）の一部を重ねる構造を採用することで、耐風（雨水）、耐震効果、耐破壊効果等を図ること、又は確実な葺設を図ること、或いは災害地域、防災地域等に指定された地域等に役立つ瓦、外壁材等の建築用材の提供すること等を意図する。また意匠的には、左右頭側端に頭垂れを、また頭尖端に鼻先垂れを設けたことで、今までにない瀟洒な感覚と、立体感覚とを備えた建築用材の提供を意図する。
【０００７】
殊に、本発明は、隣接する建築用材の重合せ構成を介して二枚を同時に、しかも下段の建築用材の引掛け箇所を併せて下地に釘止めする構成であって、施工の簡略化と、前記と同様に、耐震効果を意図した屋根面、壁面等に広く利用できる建築用材の提供を意図する。
【０００８】
請求項１は、略菱形状の建築用材の表面に、一方の鋭角部を挾んだ二辺の側端部に、二条の水返しを並行形成し、他方の鈍角部の隣接端部に重ね上片を、一方の鈍角部の隣接端部に重ね下片を形成し、前記他方鈍角部の重ね上片の内方に釘孔を、前記一方鋭角部の一方鈍角部重ね下片寄りに切欠きを形成し、また前記建築用材の裏面に、前記一方の鋭角端部に引掛けを、他方の鋭角端部に頭垂れを形成し、前記一方の鈍角部から他方の鋭角端部を経て他方の鈍角部に亘る略Ｖ字形全周端側面に側面垂れを形成したことを特徴とする建築用材である。
【０００９】
請求項２の発明は、請求項１の目的の達成と、より優れた意匠的なイメージを高めて、商品価値の向上を図ること、また建造物の美観、特異性、また構造物全体の価値の向上を図ること等を意図する。
【００１０】
請求項２は、請求項１に記載の他方の鋭角部頭垂れを、鼻先形状に形成したことを特徴とする建築用材である。
【００１１】
請求項３の発明は、請求項２の発明と略同じ内容を意図する。
【００１２】
請求項３は、請求項１に記載の略Ｖ字形周囲側面を、曲面状に凹設、又は凸設することを特徴とする建築用材である。
【００１３】
【発明の実施の形態】
本発明の実施の形態を説明する。
【００１４】
図１〜図５に示す屋根面施工の例では、屋根地に、棟と平行に所定間隔を確保して並設した複数の瓦棧（軒から棟方向に順次、瓦棧Ａ、瓦棧Ｂ、・・・とする）に建築用材（軒端用は、右から軒瓦Ａ、軒瓦Ｂ・・・とし、軒から棟方向に、一段目、二段目等とし、同段瓦は右から瓦Ａ、瓦Ｂ・・・とし、上段瓦は右から上瓦Ａ、上瓦Ｂ・・・とする）を葺き設する手順を示す。瓦棧Ｂに軒瓦Ａの裏面の一方の鋭角端部の引掛けを係止し、同時に軒瓦Ａの表面の一方鈍角部の重ね下片に、隣接する軒瓦Ｂの表面の他方鈍角部の重ね上片を重合する。この時、軒瓦Ａと軒瓦Ｂの重合部は瓦棧Ａに載架されている。次に軒瓦Ｂの重ね上片の内方に形成した釘孔を介して軒瓦Ｂと軒瓦Ａが同時に瓦棧Ａに釘止め緊結される。これらの一連の作業を繰り返し軒瓦Ａ、軒瓦Ｂ・・・が瓦棧Ｂに係止されるとともに、瓦棧Ａに並列緊結され一段目の葺き設が終了する。二段目の作業は一段目に葺き設された軒瓦Ａ、軒瓦Ｂ・・・の上に瓦Ａ、瓦Ｂが並設される。軒瓦Ａの斜め右上に、軒瓦Ａの右側端を瓦Ａの左側面垂れが覆い被さるように、瓦Ａの左側面垂れが載置されるとともに、瓦Ａの引掛けは瓦棧Ｃに係止される。
【００１５】
次いで瓦Ｂが瓦Ａの左側に隣接し、軒瓦Ａと軒瓦Ｂの側端部と重合部に覆い被さるように載置され、瓦Ｂの引掛けは瓦棧Ｃに係止される。そして、瓦Ａの重ね下片に瓦Ｂの重ね上片が重合し、瓦Ｂの釘孔と軒瓦Ａの切欠きを介して瓦Ａ及び瓦Ｂが瓦棧Ｂに釘止め緊結される。この場合、瓦Ｂの鼻形状先端部垂れ（鷲の嘴形状）が軒瓦Ａと軒瓦Ｂの重合部を、略完全に隠蔽し美観を整える。これらの一連の作業が繰り返されることで、瓦Ａ、瓦Ｂ・・・が瓦棧Ｃに係止されるともに、瓦棧Ｂに並列緊結され二段目の葺き設が終了する。三段目の上瓦Ａは、二段目の瓦Ａと瓦Ｂとで形成された略逆三角形状の空間を埋めるとともに、瓦Ａと瓦Ｂの重合釘止め個所を上瓦Ａの鼻先垂れが覆い上瓦Ａの略Ｖ字形側面垂れが瓦Ａと瓦Ｂの尻側端部に被さり、上瓦Ａの引掛けが瓦棧Ｄに係止されて三段目の葺き設が始まる。これら一連の葺き設工程で形成された鼻先垂れによる重合釘止め個所の隠蔽構造が、雨仕舞効果と意匠的斬新性を発揮する特徴は顕著である。
【００１６】
さらに屋根匂配に対応するきき丈ときき幅（瓦の露出表面における有効長さと有効幅）を具えた瓦を採用することにより、前記の各段の最右翼に配置される各々の瓦で形成される側端ラインが隅棟芯と平行な一線を構成し、隅棟際における瓦の斜めカットや複雑な止め付け作業が無用となることから、例えば、施工費、端材処理費の大幅削減（廃材の回収、処理、運搬等による問題解消）と、美観の向上が図られることの特徴も重大である。尚、前記軒瓦は建築用材の頂部から両側端部周辺までを残し、下方を切除した略台形状の部分を指し、軒先ラインを整える瓦である。本発明は、一段目と二段目とによる葺き設を介して水返し突条と、頭側垂れとによる上下構成の防水堤が形成される。この防水堤によって、当該瓦の隙間より浸入する雨水を遮断できる。尚、瓦は屋根地に直接釘止めする施工法も可能である。
【００１７】
図８〜図１２に示す壁面施工の例では、壁面（平面若しくは曲面を問わない）に棧木、引掛け等（枠）を並設した上に、建築用材を設置する工法で、彫の深い仕上り面が特徴で、光による色相の変化を備えた資材（材料）、又は吸音、消音効果を発揮できる資材、高度な装飾性を具えた景観用の資材等として多用化、また多様化等が図れる。そして、この例における施工手順は、前述の屋根面工法に準じ、壁面に直付けも可能である。
【００１８】
【実施例】
以下、本発明の一実施例を説明する。
【００１９】
１は略菱形状の建築用材（瓦、壁材）で、この建築用材１の表面１−１の尻側１ａ（一方端側）両側面１００、１０１（一方尻側端１００、他方尻側端１０１）に二条の水返し突条２、３を形成する。この水返し突条２、３（水返し突条２は第１水返し突条２ａ、第２水返し突条２ｂで構成し、また水返し突条３は第１水返し突条３ａ、第２水返し突条３ｂで構成した）は平面視すると略山形状を呈し、この第１水返し突条２ａ、３ａは尻側端１００、１０１に形成し、第２水返し突条２ｂ、３ｂは尻側端１００、１０１より一定間隔内方に並設する。これらの水返し突条２ａ、２ｂ及び３ａ、３ｂは表面１−１を遡上する雨水を二段構造で遮断し、裏面１−２への回り込みを抑制する役割をする。そして、第１水返し突条２ａの端末には、重なり部への浸水を防止する誘導用水返し突条を延設する。また他の第１水返し突条３ａの端末は、重ね上片の表面を膨出形成した水返し突面５に連繋し、流れ方向への誘水効果を発揮する。更に第２水返し突条２ｂ、３ｂ端末には、流れ方向への誘水用水返しを延設する。尚、この建築用材１は、陶土を原料とし、成形、乾燥焼成等の手段を利用して製造すること等から陶板、陶製飾り板、磁器質タイル、或いは磁器タイル等の呼び名を用いることも可能である。
【００２０】
またこの建築用材１の頭側１ｂ（他方端側）の両側面１０２、１０３（一方頭側端１０２、他方頭側端１０３）は、図１〜図１２に示した内側に窪んだ形状と、図１３〜図１７に示した外側に膨らんだ形状とが考えられる。しかし、この例に限定されず、凹凸、直線、又は波形、傾斜等の形状も可能である。また頭側１ｂの先端部には頭垂れ６を形成する。この頭垂れ６は、平面視して雨垂れ形態で、側面視して膨出形態で構成されるので、全体視すると略鼻先形状を呈する構成が、本発明の特徴である。この鼻先形状先端頭垂れ６は、建築用材１の重合部（重ね上下片及びその近傍）を隠蔽し、かつこの重合部に設けた釘止部（後述）を隠蔽し、施工面は変化に富んだ凹凸を表現でき（図６、図７参照）、雨水の流れにリズム感を与え、反響の変化、消音、色調の多様化等の利点も考えられる。また重合部からの雨水浸入防止が図れる利点がある。
【００２１】
図中７は一方尻側端１００の尻側に設けた切欠き部であり、この切欠き部７は建築用材１の頭側１ｂの表面１−１より裏面１−２に形成されており、釘８（ビス）の杭部８０が貫通できる構造である。また図中９は建築用材１の他方尻側端１０１の頭側端部に形成した釘孔を示す。この構成を採用することで、例えば、１箇所の釘又はビス止めにより一枚の建築用材１の重ね上片２１を介して他の建築用材１の重ね下片２０（二枚の建築用材１）と真下に葺き設された建築用材１を同時に瓦棧Ａ等の下地材に固着緊結され（図６、図７参照）、作業の簡便化と、止め付け精度の均質化が図られる。
【００２２】
また建築用材１の裏面１−２の尻側１ａに形成した引掛け１０は、下地材、瓦棧Ａ、或いは壁に設けた枠Ｅに係止されるので、懸架作用と、建築用材１の荷重を支持する役目とがある。そして、裏面１−２の一方頭側端１０２から頭側１ｂを経て、他方頭側端１０３に亘る略前面に略Ｖ字形頭側垂れ１２を形成し、下段にある建築用材１の表面１−１の１００、１０１に覆い被さり、雨仕舞効果と美観の修復を図る。
【００２３】
図中２０は建築用材の一方の側端に重ね下片（表面１−１を削ぎ形成）を、また２１は建築用材１の他方の側面に形成した重ね上片（裏面１−２を削ぎ形成）をそれぞれ示し、隣接重合される建築用材１相互間の連繋をより強固にする機能を有する。
【００２４】
【発明の効果】
請求項１の発明は、略菱形状の建築用材の表面に、一方の鋭角部を挾んだ二辺の側端部に、二条の水返しを並行形成し、他方の鈍角部の隣接端部に重ね上片を、一方の鈍角部の隣接端部に重ね下片を形成し、他方鈍角部の重ね上片の内方に釘孔を、一方鋭角部の一方鈍角部重ね下片寄りに切欠きを形成し、また建築用材の裏面に、一方の鋭角端部に引掛けを、他方の鈍角端部に頭垂れを形成し、一方の鈍角部から他方の鋭角端部を経て他方の鈍角部に亘る略Ｖ字形全周端側面に側面垂れを形成した建築用材である。
【００２５】
従って、請求項１は、二枚の瓦、壁材等の建築用材の両側面の一部を重ねる構造を採用することで、耐風（雨水）、耐震効果、耐破壊効果等を図ること、又は確実な葺設を図ること、或いは災害地域、防災地域等に指定された地域等に役立つ瓦、外壁材等の建築用材を提供できる特徴がある。また意匠的には、左右頭側端に頭垂れを、また頭尖端に鼻先垂れを設けたことで、今までにない瀟洒な感覚と、立体感覚とを備えた建築用材を提供できる。殊に、本発明は、隣接する建築用材を重なり構成を介して二枚を同時に下段の建築用材の引掛け個所を併せて下地に釘止めする構成であって、施工の簡略化と、前記と同様に、耐震効果を意図した屋根面、壁面等に広く利用できる建築用材を提供できる特徴がある。また鼻先形状先端頭垂れは、建築用材の重合部を隠蔽し、かつこの重合部に設けた釘止部を隠蔽し、施工面は変化に富んだ凹凸を表現できこと、雨水の流れにリズム感を与え、反響の変化、消音、色調の多様化等の利点と、この重合部からの雨水浸入防止が図れること等の利点がある。
【００２６】
請求項２の発明は、請求項１に記載の他方の鋭角部頭垂れを、鼻先形状に形成した建築用材である。
【００２７】
従って、請求項２は、請求項１の目的の達成と、より優れた意匠的なイメージを高めて、商品価値の向上が図れること、また建造物の美観、特異性、また構造物全体の価値の向上が図れること等の特徴がある。
【００２８】
請求項３の発明は、請求項１に記載の略Ｖ字形周囲側面を、曲面状に凹設、又は凸設することを特徴とする建築用材である。
【００２９】
従って、請求項３は、請求項２の発明と略同じ効果が期待できる。
【図面の簡単な説明】
【図１】本発明の建築用材を瓦として採用した一例を示した正面図
【図２】図１の裏面図
【図３】図１の俯瞰図
【図４】図１の仰瞰図
【図５】図１の使用状態を示す斜視図
【図６】軒瓦と対の瓦及び上瓦の重合関係を桁行方向右側視した模式図
【図７】軒瓦と対の瓦及び上瓦の重合関係を軒先方向視した模式図
【図８】本発明の建築用材を壁材として採用した一例を示した正面図
【図９】図８の裏面図
【図１０】図８の俯瞰図
【図１１】図８の仰瞰図
【図１２】図８の使用状態を示す斜視図
【図１３】本発明の建築用材を瓦として採用した他の一例を示した正面図
【図１４】図１３の裏面図
【図１５】図１３の俯瞰図
【図１６】図１３の仰瞰図
【図１７】図１３の使用状態を示す斜視図
【符号の説明】
１            建築用材
１−１          表面
１−２          裏面
１ａ            尻側
１ｂ            頭側
１００          一方尻側端
１００ａ          一方の側端
１０１          他方尻側端
１０１ａ          他方の側端
１０２          一方頭側端
１０３          他方頭側端
２            水返し突条
２ａ            第１水返し突条
２ｂ            第２水返し突条
３            水返し突条
３ａ            第１水返し突条
３ｂ            第２水返し突条
５            水返し突面
６            頭垂れ
７            切欠き部
８            釘
８０            杭部
９            釘孔
１０            引掛け
１２            頭側垂れ
２０            下片
２１            上片
瓦棧Ａ〜瓦棧Ｄ          瓦棧
軒瓦Ａ、軒瓦Ｂ          軒瓦
瓦Ａ〜瓦Ｃ              瓦
上瓦Ａ                  上瓦
Ａ−１          屋根地
Ｅ            枠
【図１】
2005029965.tif 000003
【図２】
2005029965.tif 000004
【図３】
2005029965.tif 000005
【図４】
2005029965.tif 000006
【図５】
2005029965.tif 000007
【図６】
2005029965.tif 000008
【図７】
2005029965.tif 000009
【図８】
2005029965.tif 000010
【図９】
2005029965.tif 000011
【図１０】
2005029965.tif 000012
【図１１】
2005029965.tif 000013
【図１２】
2005029965.tif 000014
【図１３】
2005029965.tif 000015
【図１４】
2005029965.tif 000016
【図１５】
2005029965.tif 000017
【図１６】
2005029965.tif 000018
【図１７】
2005029965.tif 000019